(57)【要約】【課題】ドアノブの操作性を悪化させることなく、かつ、汎用性にも優れたドアノブ用カバー装置の提供を目的とする。【解決手段】伸縮自在な材料により形成され、中心部にサムターン１が配置されたドアノブ２の握り部２ａ外周に周方向の伸張を伴って装着される前方に開放された装着用スペーサ３と、前記装着用スペーサ３の前方開放部を開放可能に閉塞するカバー体４とから構成する。【選択図】  図１
2004183250.tif 000002
【特許請求の範囲】
【請求項１】
伸縮自在な材料により形成され、中心部にサムターンが配置されたドアノブの握り部外周に周方向の伸張を伴って装着される前方に開放された装着用スペーサと、
前記装着用スペーサの前方開放部を開放可能に閉塞するカバー体とからなるドアノブ用カバー装置。
【請求項２】
前記カバー体は、前端が閉塞された有底筒形状に形成され、筒部において前記装着用スペーサの外周壁に脱離可能に外嵌される請求項１記載のドアノブ用カバー装置。
【請求項３】
前記装着用スペーサが側方に向けて突出する補助ハンドル部を備える請求項１または２記載のドアノブ用カバー装置。
【発明の詳細な説明】
【０００１】
【発明の属する技術分野】
【０００２】
【発明の属する技術分野】
本発明は、ドアノブ用カバー装置に関するものである。
【０００３】
【従来の技術】
ドアノブの中心部に配置されるサムターンの操作を防止するために、ドアノブに装着されるカバー装置としては、特許文献１に記載されたものが知られている。
【０００４】
この従来例において、カバー装置は、ドアノブの外周を全周に渡って覆う前端が閉塞されたカバー体と、ドアノブの下端とドア体表面との間に介装され、上記カバー体の離脱を防止する挟持板と、カバー体と挟持板との解除を禁止するための南京錠とを有して構成される。
【０００５】
【特許文献１】
特開平１１−９３４７０号
【０００６】
【発明が解決しようとする課題】
しかし、上述した従来例においては、ドアノブへの装着に際してドアノブの首部に装着される挟持板は、カバー体を取り外した後でもドアノブに装着された状態であり、かつ、ドアノブへの操作には使用されないために、ドアノブ操作にとっては邪魔となってドアノブ操作性を低下させ、かつ、見栄えも悪いという問題がある。
【０００７】
また、挟持板はドアノブの首下に巻き付けるようにして装着されるが、該首下寸法はドアノブによってまちまちであるために、汎用性に欠けるという問題もある。
【０００８】
本発明は、以上の欠点を解消すべくなされたものであって、ドアノブの操作性を悪化させることなく、かつ、汎用性にも優れたドアノブ用カバー装置の提供を目的とする。
【０００９】
【課題を解決するための手段】
本発明によれば上記目的は、
伸縮自在な材料により形成され、中心部にサムターン１が配置されたドアノブ２の握り部２ａ外周に周方向の伸張を伴って装着される前方に開放された装着用スペーサ３と、
前記装着用スペーサ３の前方開放部を開放可能に閉塞するカバー体４とからなるドアノブ用カバー装置を提供することにより達成される。
【００１０】
ドアノブ用カバー装置のドアノブ２への装着に際し、まず、装着用スペーサ３をドアノブ２の握り部２ａ外周に装着する。装着用スペーサ３は、ゴム等の伸縮自在な材料により形成され、一旦筒状本体部３ａの周方向に伸張させて開口面積を拡大させ、ドアノブ２を通過させることにより装着される。装着作業完了後には、弾性復元力により原姿勢に復帰し、ドアノブ２の握り部２ａ外周に密着して所定の装着強度が得られる。
【００１１】
このように、装着用スペーサ３を伸縮自在の材料により形成し、握り部２ａに対して周方向に伸張させて装着する構成を採用することにより、ドアノブ２の大きさに対する追随能が高くなる上に、ドアノブ２を取り外すことなく装着可能となるために、ドアノブ２の大きさ、あるいはドアノブ２の設定状態にかかわらず本発明のドアノブ用カバー装置を装着することが可能になり、汎用性が向上する。
【００１２】
装着用スペーサ３のドアノブ２への連結強度は、室外から挿入された針金等により容易にドアノブ２から脱離しない程度に適宜決定され、望ましくは、装着用スペーサ３を握ってドアノブ２に回転操作力を与えることができることができるように、空転不能状態とするのが望ましい。
【００１３】
以上のようにしてドアノブ２に装着される装着用スペーサ３は、前方に開放されており、居住者は該前方開放部からサムターン１を操作することができる。
【００１４】
上記装着用スペーサ３の前方開放部はカバー体４により開放操作可能に閉塞され、サムターン１が隠蔽される。サムターン１が隠蔽されることにより、外部からジグ等を使用してサムターン１を直接操作することができなくなり、防犯性能が飛躍的に向上する。
【００１５】
したがってこの発明において、伸縮自在な材料により形成される装着用スペーサ３を介してドアノブ２に装着されるために、ドアノブ２の大きさ等に対する融通性が高くなる。また、装着用スペーサ３はドアノブ２に巻き付けられる状態で装着されるために、見栄えも低下することがなく、しかも、ドアノブ２との間での空転が発生しないように装着した場合には、装着用スペーサ３を握ってドア操作を行うことができる。
【００１６】
カバー体４は、ジグ等を使用して容易に脱離しない程度の強度でサムターン１の前方を開放部を閉塞することができれば、形状等を適宜に決定することが可能であり、例えば、装着用スペーサ３に連結された平板状の蓋体であってもよいが、前端が閉塞された有底筒形状に形成され、筒部５において前記装着用スペーサ３の外周壁に脱離可能に外嵌されるように構成した場合には、カバー体４の装着用スペーサ３への装着作業、あるいは装着用スペーサ３からの取り外し操作が簡単になるために、使い勝手が向上する。
【００１７】
この場合、装着用スペーサ３に側方に向けて突出する補助ハンドル部６を設けた場合には、ドアノブ２を握ることなくドアノブ２に回転操作を与えることができるために、使い勝手が向上する。
【００１８】
【発明の実施の形態】
図１、２に本発明の実施の形態を示す。図において２はドア体７表面に固定されるドアノブ２であり、握り部２ａの中央部に板状のサムターン１が配置される。握り部２ａ及びサムターン１の回転軸は各々ドア体７内に収容される図外の箱錠に各々連結され、握り部２ａを回転させるとドア体７をドア枠内に閉扉状態に維持している箱錠のラッチが動作してドア体７の開放操作が可能になり、サムターン１を回転させると箱錠のデッドボルトが進退し、ドア体７の施解錠操作が行われる。
【００１９】
以上のようにして構成されるドアノブ２に装着されるドアノブ用カバー装置は、装着用スペーサ３と、カバー体４とからなる。装着用スペーサ３は、適宜の弾性を有するゴム、あるいは合成樹脂材により形成され、ドアノブ２の握り部２ａに装着した際にドアノブ２の飾り座金２ｂに干渉しないように、握り部２ａよりやや短寸の高さ寸法に形成される。
【００２０】
この装着用スペーサ３は、筒状本体部３ａから側方に補助ハンドル部６を突出させて形成され、筒状本体部３ａの中空部を、通常使用される握り部２ａの外径よりやや小径に形成することにより、該握り部２ａを中空部内に圧入するようにしてドアノブ２に装着される。
【００２１】
ドアノブ２への装着状態において、装着用スペーサ３は装着時の拡径状態からの弾性的な復元力により握り部２ａの外周を締め付け、握り部２ａとの空転に加え、握り部２ａからの脱落も防止される。
【００２２】
したがってこの実施の形態において、装着用スペーサ３が握り部２ａに対して空転不能に装着され、さらに、装着用スペーサ３には補助ハンドル部６が突設されているために、補助ハンドル部６を押し付けるだけでドアノブ２に回転力を与えることができる。
【００２３】
カバー体４は、後述するように、着脱操作を容易にするために、比較的柔軟なゴム、あるいは合成樹脂材により前端が閉塞された有底筒形状に形成され、図２（ｂ）に示すように、筒部５の一部には装着用スペーサ３の補助ハンドル部６との干渉を防止するための切欠５ａが設けられる。
【００２４】
このカバー体４の筒部５は、装着用スペーサ３の筒状本体部３ａの半分程度の高さ寸法で、かつ、筒状本体部３ａの外径よりやや小寸の径方向寸法を有し、筒部５内周壁と前端閉塞壁５ｂとの境界部を装着用スペーサ３の上端縁に当接させる状態で装着用スペーサ３に被せるようにして装着される。また、針金等のジグを使用したカバー体４の離脱操作を困難にするために、カバー体４の筒部５内周壁には、装着用スペーサ３外周に形成した係止突条３ｂに係止可能な係止凹溝４ａが設けられ、さらに、表面には着脱操作時の指掛けとなる突条４ｂが形成される。
【００２５】
したがってこの実施の形態において、就寝時等に装着用スペーサ３にカバー体４を装着しておくと、ドアノブ２のサムターン１は完全に隠蔽されるために、外部から不正に回転操作を加えられることがなくなる。また、カバー体４を取り除くだけでサムターン１が露出するために、面倒な操作が不要になり、使い勝手が向上する。さらに、カバー体４は外部からの不正脱離が防止できる程度の連結強度で装着用スペーサ３に連結されているために、室内側からは容易に取り外すことができ、操作性を低下させることもない。
【００２６】
加えて、カバー体４は弾性変形能にとむ材料により形成されるために、装着用スペーサ３がドアノブ２の握り部２ａの大きさに対応して伸縮し、外径が変化した場合であっても、装着用スペーサ３の寸法変化に追随可能であるために、融通性が向上する。
【００２７】
【発明の効果】
以上の説明から明らかなように、本発明によれば、ドアノブの操作性を悪化させることなく、かつ、汎用性にも優れたドアノブ用カバー装置を提供することができる。
【図面の簡単な説明】
【図１  】本発明を示す断面図である。
【図２】本発明の要部を示す図で、（ａ）はカバー体を取り除いた状態の図１の２Ａ方向矢視図、（ｂ）はカバー体を示す図１の２Ａ方向矢視図、（ｃ）は（ｂ）の２Ｃ方向矢視図である。
【符号の説明】
１        サムターン
２        ドアノブ
２ａ      握り部
３        装着用スペーサ
４        カバー体
５        筒部
６        補助ハンドル部
【図１】
2004183250.tif 000003
【図２】
2004183250.tif 000004